(57)【特許請求の範囲】
【請求項１】
断面Ｌ字状のアングル材に取り付けるものであって、
上下に延びる平板状の第一基部と、第一基部の上端部に連結し、被取付物が取り付けられる第二基部と、を含む基部と、
屈曲または湾曲しており、屈曲または湾曲する部分を境にして一方と他方が直線部分になっていて、一方の直線部分と他方の直線部分が約４５度の角度をなす略レ字状のもので、一方および他方の直線部分のそれぞれに端部から長手方向に延びる雄ネジを有する第一ボルトと、
前記第一ボルトの雄ネジに締結する第一ナットと、を備え、
前記第一基部は、前記第一基部の一端から上下方向に延びる長孔である第一孔と、前記第一基部および前記第二基部の連結部分と前記第一孔との間において上下方向に延びる長孔である第二孔と、を有し、
前記第一ボルトは、両端がそれぞれ前記第一孔と前記第二孔に通され、一方の直線部分が前記第一基部に対して直交し、他方の直線部分が前記第一基部に対して斜めとなり、
前記第一基部と前記第一ボルトにより、アングル材を収める略直角二等辺三角形状の空間が形成されることを特徴とする取付金具。
【請求項２】
介在部、を備え、
前記介在部は、前記第一ボルトが通される第三孔を有し、前記第一基部の前記第一孔および前記第二孔に通される前記第一ボルトの一方および他方うち、前記第一基部に対して斜めとなるものを前記第一基部に前記第一ナットで固定するために、前記第一基部と前記第一ナットとの間に介在することを特徴とする請求項１記載の取付金具。
【請求項３】
断面Ｌ字状のアングル材に取り付けるものであって、
上下に延びる平板状の第一基部と、第一基部の上端部に連結し、被取付物が取り付けられる第二基部と、を含む基部と、
屈曲または湾曲しており、屈曲または湾曲する部分を境にして一方と他方が直線部分になっていて、一方の直線部分と他方の直線部分が約４５度の角度をなす略レ字状のもので、一方および他方の直線部分のそれぞれに端部から長手方向に延びる雄ネジを有する第一ボルトと、
前記第一ボルトの雄ネジに締結する第一ナットと、
鳥害を防止する鳥害防止部と、を備え、
前記第一基部は、前記第一基部の一端から上下方向に延びる長孔である第一孔と、前記第一基部および前記第二基部の連結部分と前記第一孔との間において上下方向に延びる長孔である第二孔と、を有し、
前記第一ボルトは、両端がそれぞれ前記第一孔と前記第二孔に通され、一方の直線部分が前記第一基部に対して直交し、他方の直線部分が前記第一基部に対して斜めとなり、
前記第一基部と前記第一ボルトにより、アングル材を収める略直角二等辺三角形状の空間が形成されており、
前記鳥害防止部は前記第二基部に固定されることを特徴とする鳥害防止具。
【請求項４】
介在部、を備え、
前記介在部は、前記第一ボルトが通される第三孔を有し、前記第一基部の前記第一孔および前記第二孔に通される前記第一ボルトの一方および他方うち、前記第一基部に対して斜めになるものを前記第一基部に前記第一ナットで固定するために、前記第一基部と前記第一ナットとの間に介在することを特徴とする請求項３記載の鳥害防止具。
【請求項５】
第二ボルトと、
前記第二ボルトに締結する第二ナットと、備え、
前記鳥害防止部は、環状部と、前記環状部から略上方に延びる塑性変形可能な線状部と、を備え、
前記第二基部は、第四孔を備え、
前記第二基部と前記鳥害防止部は、前記第四孔と前記環状部に前記第二ボルトを通して前記第二ナットで締結することにより、固定されることを特徴とする請求項３または４記載の鳥害防止具。
【請求項６】
二以上の前記鳥害防止部および前記第二ナットを備え、前記第二ボルトに二番目以降に通される前記鳥害防止部は、前記第二ボルトに締結する二つの前記第二ナットの間に固定されることを特徴とする請求項５記載の鳥害防止具。
【発明の詳細な説明】
【技術分野】
【０００１】
本発明は、取付金具およびこれを用いた鳥害防止具に関する。
【背景技術】
【０００２】
鉄塔の鉄塔材（アングル材）などの取付対象に被取付物を取り付けるものとして、特許文献１には、鳥害を防止するための線材を被取付物とする線材張設装置が開示されている。線材張設装置は、アングル材の要所に所定間隔を保って固定される一対の金具を備え、金具は、線材を張り渡す線材係止部材と、Ｌ字形鋼とを備えている。金具は、線材係止部材とＬ字形鋼とでアングル材を挟み込んでボルトとナットで締結することによりアングル材に固定される。
【０００３】
しかしながら、線材張設装置は、その構成である線材係止部材、Ｌ字形鋼、ボルトおよびナットがそれぞれ独立したパーツであるため、線材張設装置をアングル材に取り付けようとすると、これらのパーツが落下し、地上の作業者や装置に衝突する恐れがある。また、線材張設装置は、取り付け作業に時間がかかるという問題がある。
【先行技術文献】
【特許文献】
【０００４】
【特許文献１】実用新案登録第２５４０２６１号
【発明の概要】
【発明が解決しようとする課題】
【０００５】
本発明は、取り付け作業中にパーツが落下せず、効率よく取付対象に取り付けることができる取付金具およびこれを用いた鳥害防止具を提供することを目的とする。
【課題を解決するための手段】
【０００６】
取付金具は、断面Ｌ字状のアングル材に取り付けるものであって、上下に延びる平板状の第一基部と、第一基部の上端部に連結し、被取付物が取り付けられる第二基部と、を含む基部と、屈曲または湾曲しており、屈曲または湾曲する部分を境にして一方と他方が直線部分になっていて、一方の直線部分と他方の直線部分が約４５度の角度をなしており、一方および他方の直線部分のそれぞれに端部から長手方向に延びる雄ネジを有する第一ボルトと、第一ボルトの雄ネジに締結する第一ナットと、を備えている。第一基部は、第一基部の一端から上下方向に延びる長孔である第一孔と、第一基部および第二基部の連結部分と第一孔との間において上下方向に延びる長孔である第二孔と、を有している。第一ボルトは、両端がそれぞれ第一孔と第二孔に通され、一方の直線部分が第一基部に対して直交し、他方の直線部分が第一基部に対して斜めとなり、第一基部と第一ボルトにより、アングル材を収める略直角二等辺三角形状の空間が形成されている。
【０００７】
取付金具は、さらに介在部を備え、介在部が、第一ボルトが通される第三孔を有し、第一基部の第一孔および第二孔に通される第一ボルトの一方および他方うち、第一基部に対して斜めとなるものを第一基部に第一ナットで固定するために、第一基部と第一ナットとの間に介在するものであってもよい。
【０００８】
鳥害防止具は、上記取付金具を用いるものであり、第二基部に被取付物として鳥害を防止する鳥害防止部が固定されている。
【０００９】
また、鳥害防止具は、第二ボルトと、第二ボルトに締結する第二ナットと、を備え、鳥害防止部が、環状部と、環状部から略上方に延びる塑性変形可能な線状部と、を備え、第二基部が、第四孔を備え、第二基部と鳥害防止部が、第四孔と環状部に第二ボルトを通して第二ナットで締結することにより固定されるものであってもよい。
【００１０】
また、鳥害防止具は、二以上の鳥害防止部および第二ナットを備え、第二ボルトに二番目以降に通される鳥害防止部が、第二ボルトに締結する二つの第二ナットの間に固定されるものであってもよい。
【００１１】
また、鳥害防止具は、鳥害防止部の線状部の先端部が目立つ色で着色されているものであってもよい。
【発明の効果】
【００１２】
取付金具および鳥害防止具は、鉄塔等の取付対象に取り付ける前に各部材（各構成）を一体化するので、取り付け作業中に各部材が落下せず、安全に取り付け作業を行うことができる。また、取付金具および鳥害防止具は、従来の取付方法や取付金具に比べて、効率よく取付対象に取り付けることができるので、取付作業の作業時間を短縮することができる。
【図面の簡単な説明】
【００１３】
【図１】実施形態の取付金具を示す斜視図である。
【図２】取付金具を示す側面図である。
【図３】取付金具を示す背面図である。
【図４】介在部を示す斜視図である。
【図５】実施形態の鳥害防止具を示す斜視図である。
【図６】鳥害防止具を示す側面図である。
【図７】鳥害防止部を示す平面図である。
【図８】鳥害防止部を２つ備える鳥害防止具を示す側面図である。
【図９】鳥害防止具を雨避け向きの鉄塔材に取り付ける様子を示す側面図である。
【図１０】鳥害防止具を雨避け向きの鉄塔材に取り付けた様子を示す側面図である。
【図１１】鳥害防止具を雨避け向きの鉄塔材に取り付けた様子を示す斜視図である。
【図１２】鳥害防止具を雨受け向きの鉄塔材に取り付けた様子を示す側面図である。
【発明を実施するための形態】
【００１４】
以下、実施形態の取付金具およびこれを用いた鳥害防止具について説明する。実施形態の取付金具は、図１ないし図３に示すように、基部１０と、第一ボルト２０と、第一ナット２４と、介在部３０と、を備えている。
【００１５】
基部１０は、金属製の帯状の部材を曲げて形成したものであり、側方視して略逆Ｌ字形状であり、上下方向を長手方向とする第一基部１２と、第一基部１２と連結し、長手方向が第一基部１２の長手方向に直交する第二基部１４とを備えている。第二基部１４の長手方向は前後方向に一致する。第一基部１２には、前後方向に貫通して、その長手方向の一端（下端）から長手方向に延びる長孔が、第一孔１６として設けられている。また、第一基部１２には、前後方向に貫通して、第一基部１２および第二基部１４の連結部分と第一孔１６との間において長手方向に延びる長孔が、第二孔１８として設けられている。第二基部１４には、被取付部をボルトとナットで取り付けるために、上下方向に貫通する第四孔１９が設けられている。
【００１６】
第一ボルト２０は、屈曲または湾曲した金属製のボルトであり、屈曲または湾曲した部分を境にしてその一方と他方がまっすぐ延びる直線部分２２となっている。本実施形態では、第一ボルト２０は、湾曲しており、その一方と他方の直線部分２２は約４５度の角度をなしている。第一ボルト２０は、一方と他方の直線部分２２に、端部からその長手方向に向かって設けられる雄ネジを備えている。第一ボルト２０は、その一方および他方が、第一基部１２の前方から第一孔１６および第二孔１８に通される。
【００１７】
第一ナット２４は、第一ボルト２０の雄ネジに締結される金属製のナットであり、第一ボルト２０の一方と他方の雄ネジにそれぞれに備えられている。
【００１８】
介在部３０は、第一基部１２の第一孔１６および第二孔１８に通される第一ボルト２０の一方および他方うち、第一基部１２に対して斜めに通されるものを第一基部１２に第一ナット２４で確実に固定するためのものである。介在部３０は、金属製の板状の部材を曲げて形成したものであり、図１ないし図４に示すように、側方視して略逆Ｌ字状のものであり、その上端および下端には第一基部１２の幅よりやや幅広の溝部３２が形成されている。また、介在部３０は、第一ボルト２０を通すために、その曲げられた部分を境にして一方側に、板面を貫通する第三孔３４を備えている。介在部３０は、上端および下端の溝部３２が第一基部１２の背面にあてがわれ、第三孔３４には、第一基部１２の第一孔１６および第二孔１８に通される第一ボルト２０の一方および他方うち、第一基部１２に対して斜めとなるものが通される。介在部３０の第三孔３４に通された第一ボルト２０には第一ナット２４が締結される。このようにして、介在部３０は第一基部１２とナットとの間に介在する。介在部３０は、その溝部３２を第一基部１２にあてがうことにより、溝部３２が介在部３０を第一基部１２の長手方向に沿って移動させる際にガイドとして機能するので、確実に第一基部１２の長手方向に沿って移動させることができる。また、介在部３０は、その溝部３２を第一基部１２にあてがうことにより、第一基部１２に対して斜めに通される第一ボルト２０を第一基部１２に固定する際、第一ナット２４による締結力を第一基部１２に確実に作用させる。
第一孔１６および第二孔１８に通される第一ボルト２０の一方および他方の両方が第一基部１２に対して斜めとなる場合には、第一ボルト２０の一方と他方の両方において介在部３０が用いられる。また、第一孔１６および第二孔１８に通される第一ボルト２０の一方および他方の両方が第一基部１２に対して斜めとならない場合には、第一ボルト２０の一方と他方の両方において介在部３０が用いられない。
【００１９】
以上に示した取付金具には、各種被取付物が、金属製の第二ボルト４０および第二ボルト４０に締結する第二ナット４４により取り付けられる。なお、被取付物の取付金具への取付は、ボルトとナット以外を用いるものであってもよく、被取付物を取付金具に取り付けられるものであればどのようなものであってもよい。
【００２０】
以下、取付金具に、被取付物として鳥害を防止するための鳥害防止部６０を取り付けた鳥害防止具について説明する。図５および図６は、鳥害防止具を示す。
【００２１】
鳥害防止部６０は、図５ないし図７に示すように、環状部６２と、線状部６４と、カバー部６６と、を備えている。環状部６２は、金属製であり、薄厚で環状のものである。線状部６４は、環状部６２から略上方に延びる棒状のものであり、塑性変形可能な金属で形成されている。線状部６４は、必要に応じて、平面視して環状部６２の中心から外側に向かう方向に傾けたり（広げたり）、曲げたりするなど、その形状を変形して用いることができる。カバー部６６は、一端側が塞がった筒状のものであり、比較的に柔らかい合成樹脂などにより形成されており、線状部６４の先端に被せられている。カバー部６６は、線状部６４の先端部として、取付金具および線状部６４とは異なる色であって、目立つ色で着色されている。目立つ色としては、例えば、赤色や蛍光色などが挙げられる。
【００２２】
なお、線状部６４の先端部は、カバー部６６を用いないで、線状部６４の先端側を直接上記のような色で着色したものであってもよい。
【００２３】
鳥害防止部６０の取付金具への取り付けについては、第二基部１４の第四孔１９および鳥害防止部６０の環状部６２に第二ボルト４０を通し、第二ボルト４０に第二ナット４４を締結することにより取り付けられる。
【００２４】
鳥害防止具は、図８に示すように二以上の鳥害防止部６０を備えることができる。この場合、最初に取り付けた鳥害防止部６０を固定する第二ナット４４の上に、追加して取り付ける鳥害防止部６０の環状部６２を第二ボルト４０に通し、さらに別の第二ナット４４を第二ボルト４０に締結すればよい。すなわち、第二ボルト４０に二番目以降に通される鳥害防止部６０は、第二ナット４４と第二ナット４４の間に固定される。
【００２５】
上記取付金具および鳥害防止具は、第一ボルト２０への第一ナット２４の締結ならびに第二ボルト４０への鳥害防止部６０および第二ナット４４の締結において、座金５０を介在させてもよい。
【００２６】
次に取付金具および鳥害防止具の取付対象への取り付け方法について説明する。ここでは、その一例として、横断面がＬ字状である鉄塔の鉄塔材８０（アングル材）への鳥害防止具の取り付け方について、図９ないし図１１を参照して説明する。ここで、鉄塔材８０は、その一端が下向きとなる雨避けの向きで水平方向に延びているものとする。まず、第一ボルト２０の一方の直線部分２２を第二孔１８に通し、第一ナット２４で仮止めしておく。また、第一ボルト２０の他方の直線部分２２を介在部３０の第三孔３４に通し、第一ナット２４で仮止めしておく。この状態で、第一ボルト２０は、第二孔１８に通された部分の周辺を軸として略水平方向周りに回動可能になっている。次いで、第一ボルト２０をその他方の直線部分２２が第一基部１２から離れるように回動させて第一基部１２と第一ボルト２０との間を開け、この間から鳥害防止具を鉄塔材８０に被せ、第一基部１２と第一ボルト２０に囲まれる空間に鉄塔材８０を収める。次いで、第一ボルト２０を他方の直線部分２２が第一基部１２に近づくように回動させ、第一ボルト２０の他方の直線部分２２を第一基部１２の下端から第一孔１６に通す。この際、介在部３０および第一ナット２４は第一基部１２の背面側に位置させる。次いで、第一ボルト２０を動かして、第一ボルト２０の一方の直線部分２２を鉄塔材８０の上面に接するようにするとともに第一ボルト２０の湾曲部を鉄塔材８０の一端に掛け、第一ボルト２０の他方の直線部分２２を鉄塔材８０の他端に接するようにする。この状態で、第一ボルト２０の一方の直線部分２２の第一ナット２４を締結する。また、第一基部１２に介在部３０の溝部３２をあてがい、第一ボルト２０の他方の直線部分２２に第一ナット２４を締結することにより、鉄塔材８０への鳥害防止具の取付が完了する。
【００２７】
なお、鉄塔材８０が、その一端が上向きとなる雨受けの向きとなっている場合には、図１２に示すように、第一ボルト２０、介在部３０および第一ナット２４は、上記の取付方法に対し、上下逆向きで使用する。この場合、第一基部１２の第二孔１８および介在部３０の第三孔３４に第一ボルト２０の他方の直線部分２２が通され第一ナット２４で締結される、
【００２８】
上記した取付金具および鳥害防止具は、横断面が矩形や円形の鉄塔材など上記鉄塔材８０の形状と異なる鉄塔材に取り付けることができる。この場合、鉄塔材の形状に応じて、第一ボルト２０の形状をＵ字状やコの字状などにすればよい。
【００２９】
鳥害防止部６０の線状部６４は、鳥が鉄塔にとまることが困難になるよう適宜傾けたり、曲げたりしておく。
【００３０】
取付金具および鳥害防止具は、鉄塔等の取付対象に取り付ける前に各部材（各構成）を一体化するので、取り付け作業中に各部材が落下せず、安全に取り付け作業を行うことができる。また、取付金具および鳥害防止具は、従来の取付方法や取付金具に比べて、効率よく取付対象に取り付けることができるので、取付作業の作業時間を短縮することができる。
【００３１】
鳥害防止具は、先端部が目立つ色で着色されているので、線状部６４を変形させたかどうかを地上からでも確認することができ、線状部６４の変形作業の失念を防止することができる。
【００３２】
本発明の取付金具および鳥害防止具は、上記実施形態に特に限定されるものではなく、本発明の要旨の範囲内において適宜変更することができる。
【符号の説明】
【００３３】
１０    基部
１２    第一基部
１４    第二基部
１６    第一孔
１８    第二孔
１９    第四孔
２０    第一ボルト
２２    直線部分
２４    第一ナット
３０    介在部
３２    溝部
３４    第三孔
４０    第二ボルト
４４    第二ナット
５０    座金
６０    鳥害防止部
６２    環状部
６４    線状部
６６    カバー部
８０    鉄塔材
【図１】
0006263253.tif 000002
【図２】
0006263253.tif 000003
【図３】
0006263253.tif 000004
【図４】
0006263253.tif 000005
【図５】
0006263253.tif 000006
【図６】
0006263253.tif 000007
【図７】
0006263253.tif 000008
【図８】
0006263253.tif 000009
【図９】
0006263253.tif 000010
【図１０】
0006263253.tif 000011
【図１１】
0006263253.tif 000012
【図１２】
0006263253.tif 000013